(57)【要約】【課題】比較的少ない力で芝の根切り作業と地面の穿孔作業とを同時に行うことができる穴あけ器を提供する。【解決手段】穴あけ器１０２を筒状の本体部１１０と、本体部１１０の一方端部に形成された刃１１２とで構成し、刃１１２に少なくとも３つの刃部１３０を形成する。また、当該各刃部１３０を、互いに離間した位置にある頂部１３２と、互いに離間した位置にある谷部１３３と、頂部１３２および谷部１３３との間に形成された稜線部１３４とで構成することにより、上記課題を解決できる。【選択図】図１
2017153395.tif 000002
【特許請求の範囲】
【請求項１】
筒状の本体部と、
前記本体部の一方端部に形成された刃とを有する穴あけ器であって、
前記刃は、少なくとも３つの刃部を有しており、
前記各刃部は、互いに離間した位置にある頂部と、互いに離間した位置にある谷部と、前記頂部および前記谷部の間に形成された稜線部とを有している
穴あけ器。
【請求項２】
前記本体部には、前記本体部の径方向に突出するストッパーが設けられていることを特徴とする請求項１に記載の穴あけ器。
【請求項３】
前記本体部における前記ストッパーよりも他方端側の側面には、土排出孔が形成されていることを特徴とする請求項２に記載の穴あけ器。
【請求項４】
前記本体部の内部には、前記本体部内の土を前記土排出孔に向けて導くガイド部が形成されていることを特徴とする請求項３に記載の穴あけ器。
【請求項５】
前記本体部の他方端部には、ユーザが操作する操作棒に取り付けられる取付部が形成されており、
前記取付部には、ロックピンを挿入する孔が形成されていることを特徴とする請求項１から４のいずれか１項に記載の穴あけ器。
【請求項６】
請求項１から５のいずれか１項に記載の穴あけ器と、
ユーザが操作し、前記穴あけ器が固定された操作棒とを有する穴あけ器具であって、
前記操作棒は、
一方端部に前記穴あけ器が固定された棒本体部と、
前記棒本体部の他方端部から突設されたハンドル部と、
前記一方端部から突設された足かけ部とを有していることを特徴とする
穴あけ器具。
【発明の詳細な説明】
【技術分野】
【０００１】
本発明は、植物の種や球根などを植えるための穴を地面に穿設する際に用いられる穴あけ器、およびそれを用いた穴あけ器具に関する。
【背景技術】
【０００２】
従前より、エアレーションのために芝生に穴を穿設するタインが知られている（一例として、特許文献１）。
【０００３】
特許文献１に開示されたタインによれば、先端差込部から地面に差し込んでいくことにより、芝生の根切り作業と穿孔作業とを同時に行うことができる。
【先行技術文献】
【特許文献】
【０００４】
【特許文献１】特開２０１０−１６６８５６号公報
【発明の概要】
【発明が解決しようとする課題】
【０００５】
しかしながら、特許文献１のタインにおける先端差込部は鋭く尖った形状をしていることから地面に差し込むことについては問題が少ないと考えられるが、芝の根を切っていくことについては問題があった。
【０００６】
すなわち、先端差込部を地面に差し込んでいくと、地中に広がる芝の根を押しのけて地中に入っていくことになり、芝の根を切ることは容易でなかった。このため、特許文献１のタインにはエアレーション装置が取り付けられることが前提となっており、タインを取り付けたエアレーション装置を作動させることによりタインを上下させて、エアレーション装置による強い力で先端差込部を地面に差し込んでいくようになっていた。
【０００７】
このように、特許文献１のタインでは芝の根を切ることが難しく、仮に切ることができるとしても、タインをエアレーション装置に取り付けることが必要になり、例えば人力で芝の根切り作業と穿孔作業とを同時に行うのは困難であった。
【０００８】
また、特許文献１のタインは、芝生のエアレーションを目的とするため穿孔する穴の径は、芝の根に空気を供給するのに必要な程度であり、植物の種や球根を植えるための穴を穿孔することはできなかった。
【０００９】
本発明は、かかる問題を解決するためになされたものであり、その目的は、例えば人力であっても比較的容易に芝の根切り作業と、植物の種や球根を植えるために適切な穴を穿孔する作業とを同時に行うことができる穴あけ器およびそれを用いた穴あけ器具を提供することにある。
【課題を解決するための手段】
【００１０】
この発明のある局面に従うと、
筒状の本体部と、
前記本体部の一方端部に形成された刃とを有する穴あけ器であって、
前記刃は、少なくとも３つの刃部を有しており、
前記各刃部は、互いに離間した位置にある頂部と、互いに離間した位置にある谷部と、前記頂部および前記谷部の間に形成された稜線部とを有している
穴あけ器が提供される。
【００１１】
好適には、前記本体部には、前記本体部の径方向に突出するストッパーが設けられていることを特徴とする穴あけ器が提供される。
【００１２】
また、好適には、前記本体部における前記ストッパーよりも他方端側の側面には、土排出孔が形成されていることを特徴とする穴あけ器が提供される。
【００１３】
また、好適には、前記本体部の内部には、前記本体部内の土を前記土排出孔に向けて導くガイド部が形成されていることを特徴とする穴あけ器が提供される。
【００１４】
さらに、好適には、前記本体部の他方端部には、ユーザが操作する操作棒に取り付けられる取付部が形成されており、
前記取付部には、ロックピンを挿入する孔が形成されていることを特徴とする穴あけ器が提供される。
【００１５】
好適には、上述したいずれかの穴あけ器と、
ユーザが操作し、前記穴あけ器が固定された操作棒とを有する穴あけ器具であって、
前記操作棒は、
一方端部に前記穴あけ器が固定された棒本体部と、
前記棒本体部の他方端部から突設されたハンドル部と、
前記一方端部から突設された足かけ部とを有していることを特徴とする
穴あけ器具が提供される。
【発明の効果】
【００１６】
この発明によれば、穴あけ器の本体部における一方端部に形成された刃が少なくとも３つの刃部を有しており、各刃部は本体部から離間した位置にある頂部と、前記頂部と前記本体部との間に形成された稜線部とを有しているので、穴あけ器の刃から地面に押し込んだ後、当該穴あけ器をねじることにより、刃部の稜線部で芝の根を切りつつ穴あけ器を地面に差し込むことができる。
【００１７】
したがって、この発明によれば、例えば人力ででも比較的容易に芝の根切り作業と、植物の種や球根を植えるために適切な穴を穿孔する作業とを同時に行うことができる穴あけ器およびそれを用いた穴あけ器具を提供することができた。さらに言えば、刃部は少なくとも３つ形成されていることから、穴あけ器をねじる角度は１２０°で済むことになる。また、刃部を３つ以上にすれば、穴あけ器をねじる角度を小さくでき、作業性がより向上する。
【図面の簡単な説明】
【００１８】
【図１】本実施例にかかる穴あけ器具１００の全体を示す正面図である。
【図２】本実施例にかかる穴あけ器具１００の全体を示す側面図である。
【図３】本実施例にかかる穴あけ器１０２を示す正面図である。
【図４】本実施例にかかる操作棒１０４を示す正面図である。
【図５】本実施例に係る穴あけ器具１００を用いて地面に穴を穿設する作業を示す図である。
【図６】本実施例に係る穴あけ器具１００を用いて地面に穴を穿設する作業を示す図である。
【図７】本実施例に係る穴あけ器具１００を地面に差し込み始めたときの状態を示す（ａ）正面図、および、（ｂ）Ａ−Ａ矢視断面図である。
【図８】本実施例に係る穴あけ器具１００を地面に差し込んで芝の根を切ったときの状態を示す（ａ）正面図、および、（ｂ）Ｂ−Ｂ矢視断面図である。
【発明を実施するための形態】
【００１９】
＜穴あけ器具１００の構成＞
図１および図２を参照して、本実施の形態にかかる穴あけ器具１００の全体構成について説明する。本実施例の穴あけ器具１００は、大略、穴あけ器１０２と、操作棒１０４とを備えている。
【００２０】
穴あけ器１０２は、図３に示すように、大略、本体部１１０と、当該本体部１１０の一方端部に形成された刃１１２とを有している。
【００２１】
本体部１１０は、内部空間１１１を有する円筒状の部材であり、その上方から穴あけ器１０２を地中に差し込む力が加えられても座屈しない程度の材質および厚さで構成されている。なお、本明細書を通して、本体部１１０において刃１１２が形成された側を「下方」、その反対側を「上方」と記載することがある。また、本体部１１０の形状は円筒状に限定されるものではなく、例えば角筒状であってもよい。つまり、本体部１１０の形状は、後述するように地面に穴を穿設する際の土を取り込むことができる内部空間１１１があればよい。
【００２２】
本体部１１０の高さ方向の略中央部には、当該本体部１１０の径方向に突出するようにストッパー１１４が設けられている。本実施例の場合、ストッパー１１４の外周縁は本体部１１０の形状に合わせて略円状に形成されているが、ストッパー１１４の外周縁の形状はこれに限定されるものではなく、例えば、三角形状を含む多角形状であってもよい。ストッパー１１４が設けられる位置は、地面に穿設したい穴の深さに応じて調整される。すなわち、後述するように、穴あけ器具１００を用いて地面に穴を穿設する際、ストッパー１１４の下面が地面に当接するところまで穴あけ器１０２が地面に差し込まれるので、刃１１２の下方端からストッパー１１４の下面までの長さＨが地面に穿設される穴の深さとなる。
【００２３】
また、本体部１１０の側面における、ストッパー１１４よりも上方には、本体部１１０の内部空間１１１に取り込まれた土を外部に排出するための土排出孔１１６が形成されている。本実施例の場合、略半円形状の土排出孔１１６が形成されているが、土排出孔１１６の形状はこれに限定されるものではなく、例えば、四角形状の孔であってもよい。
【００２４】
図２に戻り、本体部１１０の内部空間１１１には、本体部１１０内に入った土を土排出孔１１６に向けて導くガイド部１１７が設けられている。ガイド部１１７は、図示するようなアール状に限定されるものではなく、段状でもよいし、断面が直線状の板材であってもよい。
【００２５】
さらに、本体部１１０の上方端部、つまり、刃１１２が形成された本体部１１０の一方端部とは反対側の他方端部には、操作棒１０４に取り付けられる取付部１１８が形成されている。本実施例の場合、本体部１１０の他方端部における側面に４つの孔１２０が約９０°間隔でそれぞれ形成されている。後述する操作棒１０４の下方端部には当該取付部１１８が嵌め込まれる操作棒側取付部１７０が形成されており、当該操作棒側取付部１７０の対応する位置にも同じ径の操作棒側孔１７２が形成されている。これにより、取付部１１８を操作棒側取付部１７０に嵌め込み、孔１２０と操作棒側孔１７２との位置を合わせた後、それぞれの孔１２０，１７２にロックピン２００を挿入することにより、穴あけ器１０２を操作棒１０４に簡単に固定できるようになっている。このような構成を採用した場合、穴あけ器１０２を交換することが容易になる。
【００２６】
また、前記孔１２０をやや角度を持たせた上下方向に長径の孔とした場合、操作棒１０４を下方に押すことでロックピン２００が、孔１２０の上方から下方に移動し、その際に穴あけ器１０２を所定の角度回転させることにより、より効率的に根切り作業を行うことができる。もちろん、操作棒１０４を下方に押した場合に、穴あけ器１０２が所定の角度回転するものであれば、他の機構を採用してもよい。
【００２７】
穴あけ器１０２の本体部１１０の下方端部（つまり一方端部）に形成された刃１１２は、地面に生えた芝の根を切るための部分であり、本実施例の場合、刃１１２は４つの刃部１３０で構成されている。もちろん、刃部１３０の数はこれに限定されるものではなく、３つ以上であればいくつであってもよい。
【００２８】
基本的に、各刃部１３０はそれぞれ同じ形状になっている。１つの刃部１３０の形状について説明すると、刃部１３０は、頂部１３２と、谷部１３３と、当該頂部１３２および当該谷部１３３の間に形成された稜線部１３４とを有している。各刃部１３０に形成された各頂部１３２はそれぞれが互いに離間した位置に形成されており、また、各刃部１３０に形成された各谷部１３３もそれぞれが互いに離間した位置に形成されている。したがって、各刃部１３０は、互いの谷部１３３を共有する関係になっている。また、谷部１３３は本体部１１０の下方端部に位置している。本実施例の場合、各刃部１３０は正面から見て略二等辺三角形状に形成されていることから、頂部１３２を中心として均等な角度で２つの稜線部１３４が形成されている。もちろん、稜線部１３４の角度はこれに限定されるものではなく、頂部１３２を中心として一方の稜線部１３４の角度と他方の稜線部１３４の角度とを互いに異なるものにしてもよい。さらに言えば、各刃部１３０の形状をそれぞれ異なるものにしてもよい。また、稜線部１３４の形状についても直線には限定されず、円弧や波型など適宜の形状が選択できる。
【００２９】
次に、図４を参照して、操作棒１０４について説明する。操作棒１０４は、大略、棒本体部１４０と、ハンドル部１５０と、足かけ部１６０と、操作棒側取付部１７０を有している。
【００３０】
棒本体部１４０は、円筒状の部材であり、ユーザが穴あけ器具１００を使用しやすいように所定の長さに設定されている。もちろん、角筒状の部材や円柱状の部材など、その他の形状の部材を使用してもよく、また、必要な強度を有するものであれば、材質も特に限定されるものではない。
【００３１】
ハンドル部１５０は、穴あけ器具１００を操作する際にユーザが掴む部材であり、棒本体部１４０の上方端部から、当該棒本体部１４０の長手方向に対して略直交する向きである略水平方向に突設されている。本実施例では、ハンドル部１５０として一対の円柱状の細棒１５２と一対の円柱状の太棒１５４とが使用されている。細棒１５２の一端がそれぞれ棒本体部１４０に接続されており、細棒１５２の他端に対して太棒１５４の一端がそれぞれ接続されている。また、細棒１５２の中心軸と、太棒１５４の中心軸とが互いに一致するようになっている。ハンドル部１５０の構成はこれに限定されるものではなく、１種類の棒状部材でハンドル部１５０を構成してもよいし、円柱状ではなく角柱状の細棒１５２、太棒１５４を用いることもできる。また、柱状材（中実）ではなく、筒状材（中空）を使用してもよい。さらに、ハンドル部１５０は、本実施例のように２本一組ではなく、１本のみであってもよい。
【００３２】
足かけ部１６０は、穴あけ器具１００を操作する際、穴あけ器１０２を地面に差し込む力を付与するためにユーザが足をかけて踏み込むための部材であり、棒本体部１４０の下方端において略水平方向に延びるように形成されている。本実施例では、足かけ部１６０としてフラットバーが使用されており、当該フラットバーの上側表面における略中央部に棒本体部１４０の下方端が接続されている。これにより、棒本体部１４０の左右方向に足かけ部１６０が延びるようになっている。足かけ部１６０は上述のようにユーザが足をかけて踏み込むために用いられるだけではなく、例えば所定の間隔で地面に穴をあける際の定規代わりとして、穴をあける位置の目安にすることができる。
【００３３】
また、足かけ部１６０とハンドル部１５０とは互いに略平行に延びるように位置決めされている。足かけ部１６０は、フラットバーに限定されるものではなく、丸棒状や角柱状の部材などを使用することもできるが、後述するように足かけ部１６０の下側表面に操作棒側取付部１７０を設けるようになっていることから、少なくとも下側表面は平面状に形成されている部材を使用するのが好適である。
【００３４】
操作棒側取付部１７０は、穴あけ器１０２の取付部１１８が取り付けられる部分である。本実施例では、当該取付部１１８が嵌まる大きさのリング状部材としての操作棒側取付部１７０が足かけ部１６０の下側表面における略中央部に取り付けられている。つまり、棒本体部１４０の中心軸と操作棒側取付部１７０の中心軸とが略一致するようになっている。また、操作棒側取付部１７０には、穴あけ器１０２の取付部１１８に形成された４つの孔１２０に対応する位置にほぼ同じ径の４つの操作棒側孔１７２が形成されている。操作棒１０４に対する穴あけ器１０２の取り付け方法は、本実施例のものに限定されるものではなく、例えば、操作棒１０４の操作棒側取付部１７０に対して穴あけ器１０２の取付部１１８をねじ込むようにして取り付けてもよいし、穴あけ器１０２の取付部１１８に対して操作棒１０４の操作棒側取付部１７０を嵌め込むようにしてもよい。
【００３５】
＜本実施例に係る穴あけ器具１００の組み立て手順＞
次に、本実施例に係る穴あけ器具１００の組み立て手順の一例について簡単に説明する。図３に戻り、最初に、円筒状の本体部１１０の下方端部に刃１１２を切削形成する。また、本体部１１０の側面に土排出孔１１６を形成する。然る後、本体部１１０にストッパー１１４を被せて接着や溶接などの手段により所定の位置でストッパー１１４を本体部１１０に固定する。また、本体部１１０の上方端部にある取付部１１８に孔１２０を形成する。これで穴あけ器１０２が完成する。
【００３６】
また、図４を参照して、棒本体部１４０にハンドル部１５０および足かけ部１６０を接着や溶接などの手段により固定する。加えて、足かけ部１６０の下側表面に操作棒側取付部１７０を接着や溶接などの手段により固定する。操作棒側取付部１７０における操作棒側孔１７２は、予め形成しておいてもよいし、操作棒側取付部１７０を足かけ部１６０に固定した後で形成してもよい。これで操作棒１０４が完成する。
【００３７】
完成した穴あけ器１０２の取付部１１８を完成した操作棒１０４の操作棒側取付部１７０に嵌め込んだ後、孔１２０と操作棒側孔１７２との位置を合わせた状態でこれら孔１２０，１７２にロックピン２００を挿設する。これにより、操作棒１０４に穴あけ器１０２が固定されて、図１および図２に示すような穴あけ器具１００が完成する。
【００３８】
＜本実施例に係る穴あけ器具１００の使用方法＞
次に、本実施例に係る穴あけ器具１００を用いて地面に穴をあける方法について図５および図６を用いて説明する。まず、芝が生えている地面Ｔの所定位置に穴あけ器１０２の下端、つまり刃１１２を位置決めして差し込んでいく。ユーザが足かけ部１６０を踏み込んで自身の体重を穴あけ器１０２にかける（Ｆ）ようにすると差し込み動作が容易になる。
【００３９】
穴あけ器１０２を地面Ｔに差し込み、足かけ部１６０に体重をかけ、地面Ｔに所定の深さまで穴あけ器１０２を差し込む。その後、足かけ部１６０より足かけたままもしくは足を下した後、穴あけ器１０２を図６に示すように、ハンドル部１５０等を用いて穴あけ器具１００全体を時計回りあるいは反時計回りにねじって（Ｋ）約９０°回転させる。これにより、穴あけ器１０２を地面Ｔに差し込みつつ、刃１１２の各刃部１３０で芝の根Ｓを切ることができる。むろん、芝の根Ｓが固くない場合や刃部１３０が上から下方に押しつけられるだけで芝の根Ｓが切れる場合には、前記のねじり作業は不要である。
【００４０】
より詳細に説明すると、穴あけ器１０２を地面Ｔに差し込み始めた状態で、図７に示すように、各刃部１３０における稜線部１３４の間（つまり、ある刃部１３０と、これの両隣の刃部１３０との間）に芝の根Ｓが嵌まった状態になっている。この状態から、さらに穴あけ器１０２を差し込み、足かけ部１６０に体重をかけ、地面Ｔに所定の深さまで穴あけ器１０２を差し込む。穴あけ器具１００全体（もちろん、穴あけ器１０２も含まれる）を約９０°ねじると、図８に示すように、各刃部１３０の稜線部１３４で芝の根Ｓを切ることができる。穴あけ器１０２を地面に差し込んだ状態で本体部１１０の内部空間１１１に入り込んでいた土や芝の根Ｓは、多くの場合、穴あけ器１０２がねじられて回転すると本体部１１０とともに回転移動するが、本体部１１０の外にあった土や芝の根Ｓは回転移動することがない。これにより、本体部１１０の内部空間１１１にある土や芝の根Ｓと、外にある土や芝の根Ｓとを互いに分離することができる。
【００４１】
穴あけ器具１００全体をねじった後、穴あけ器具１００を持ち上げると、本体部１１０の内部空間１１１にある土や芝の根Ｓもそのまま持ち上げられ、地面Ｔには所望の穴が形成される。
【００４２】
然る後、次に穴を開けたい地面の位置に再び穴あけ器１０２を差し込んだ後ねじる。すると、先に本体部１１０の内部空間１１１に入っていた土や芝の根Ｓは、当該内部空間１１１に新たに差し込まれた土や芝の根Ｓに押し上げられ、ガイド部１１７によって土排出孔１１６まで導かれた後、自動的に本体部１１０の外側に排出される。その後、穴あけ器具１００で地面Ｔに穴をあけていく作業は上述の通りである。このように、排出される土は一定の塊となることから、穿孔作業後に土を回収するのが容易になる。
【００４３】
＜本実施例に係る穴あけ器具１００の特徴＞
本実施例に係る穴あけ器１０２の本体部１１０における一方端部に形成された刃１１２が少なくとも４つの刃部１３０を有しており、各刃部１３０はそれぞれが離間した位置にある頂部１３２と谷部１３３、当該頂部１３２と谷部１３３との間に形成された稜線部１３４とを有していることにより、穴あけ器１０２を刃１１２から地面Ｔに差し込み、足かけ部１６０に体重をかけ、地面Ｔに所定の深さまで穴あけ器１０２を差し込んだ後、ねじることによって刃部１３０の稜線部１３４で芝の根を切ることができる。したがって、本実施例に係る穴あけ器具１００によれば、上述のように、芝の根切り作業と穿孔作業とを同時かつ容易に行うことができ、高効率で作業を行うことができる。
【００４４】
また、刃部１３０は４つ形成されていることから、穴あけ器１０２をねじる角度は９０°で済むことになる。刃部１３０の数は３つ以上であればよく、３つの場合、穴あけ器１０２をねじる角度は１２０°で済むことになる。もちろん、刃部１３０の数を多くすれば、穴あけ器１０２をねじる角度はそれだけ小さくて済むことになるが、同時に、穴あけ器１０２を地面に差し込む際の抵抗も大きくなる。穴あけ器１０２をねじる角度と地面に差し込む際の抵抗とのバランスを考慮すると、刃部１３０の数は４つであることが好適である。
【００４５】
また、穴あけ器１０２は、操作棒１０４と分離固定できるようになっているので、地面Ｔにいくつかの穴を形成したことによって例えば刃部１３０が傷んできたとき、新品の穴あけ器１０２に取り替えることが容易にでき、かつ、操作棒１０４を含めた穴あけ器具１００を交換する場合に比べて経済的である。また、ユーザ（作業者）の体格に合わせて操作棒１０４の長さを選択でき、高い作業性が実現できる。さらに、植えたい植物の種や球根の大きさに合わせて、穴あけ器１０２の口径を取り替える場合にも、口径の異なる穴あけ器１０２のみを準備すれば良いから、操作棒１０４を含めた穴あけ器具１００を交換する場合に比べて経済的である。
【００４６】
また、穴あけ器１０２の取付部１１８と操作棒１０４の操作棒側取付部１７０とがロックピン２００によって固定されるようになっているので、操作棒１０４に対する穴あけ器１０２の土排出孔１１６の位置を変えることができる。これにより、穿孔作業中に穴あけ器１０２から土などが排出される方向をユーザの好みに応じて変えることができる。
【００４７】
また、ストッパー１１４の下面が地面に当接するまで穴あけ器１０２を差し込むようにすることで、毎回、ほぼ一定の深さの穴を設けることができ、ストッパー１１４の位置を適宜選択することで、植える植物の種や球根の種類により適切な深さに植えることができる。
【００４８】
また、操作棒１０４にハンドル部１５０および足かけ部１６０が設けられているので、ユーザが穴あけ器具１００の操作を行いやすく、かつ、穴あけ器１０２を地面に差し込む際に自身の体重を使って大きな力を穴あけ器１０２にかけることが容易にできる。
【００４９】
＜変形例＞
（１）上述した実施例では、穴あけ器１０２と操作棒１０４とが互いに分離固定できるようになっていたが、これに代えて、穴あけ器１０２と操作棒１０４とが互いに分離できないように一体的に穴あけ器具１００を形成してもよい。
【００５０】
（２）上述した実施例では、ハンドル部１５０や足かけ部１６０を固定式のものにしていたが、これに代えて、穴あけ器具１００の収納や搬出がしやすいようにハンドル部や足かけ部を「折り畳み式」にしてもよい。また、ハンドル部１５０や足かけ部１６０は、着脱自在にしたり、ヒンジなどを用いて、上方や下方に折り畳めるようにすれば、収納時嵩張ることがなく、また、破損時の修理も容易になる。
【００５１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５２】
１００…穴あけ器具、１０２…穴あけ器、１０４…操作棒、１１０…本体部、１１１…内部空間、１１２…刃、１１４…ストッパー、１１６…土排出孔、１１７…ガイド部、１１８…取付部、１２０…孔、１３０…刃部、１３２…頂部、１３３…谷部、１３４…稜線部、１４０…棒本体部、１５０…ハンドル部、１５２…細棒、１５４…太棒、１６０…足かけ部、１７０…操作棒側取付部、１７２…操作棒側孔、２００…ロックピン
【図１】
2017153395.tif 000003
【図２】
2017153395.tif 000004
【図３】
2017153395.tif 000005
【図４】
2017153395.tif 000006
【図５】
2017153395.tif 000007
【図６】
2017153395.tif 000008
【図７】
2017153395.tif 000009
【図８】
2017153395.tif 000010